(57)【特許請求の範囲】
【請求項１】
光を照射する光源装置と、
前記光源装置が被写体を照射した光の前記被写体からの反射光を画素毎に光電変換して画像を読取る撮像素子と、
前記光源装置から光が照射された場合に、基準となる光を反射させる基準部材と、
前記基準部材が反射させた光を前記撮像素子が光電変換した値に基づいて、原稿が載置された原稿載置領域に対して前記光源装置が照射した光の反射光を前記撮像素子が画素毎に光電変換した値を補正する補正部と、
前記補正部が補正した結果に基づいて、前記原稿載置領域に載置された原稿のサイズを検出する検出部と、
前記原稿載置領域に載置された原稿に対して前記光源装置が照射した光の反射光を前記撮像素子が光電変換して前記補正部で補正した値に基づいて、原稿を画像として読取る処理を行う画像処理部と、
前記光源装置を前記原稿載置領域に沿って搬送するキャリッジと、
前記検出部が原稿のサイズを検出する際、前記光源装置が前記原稿載置領域に対して光を照射する場合に、前記光源装置の主走査方向の点灯領域を予め定められた領域にするよう制御する制御部と、
を有し、
前記撮像素子は、
予め定められた原稿読取開始位置に向けて一方向に前記キャリッジが移動する間に、原稿のサイズを検出するために、前記原稿載置領域に照射された前記光源装置からの光の前記原稿からの反射光の光電変換と、前記基準部材に照射された前記光源装置からの光の前記基準部材が反射させる光の光電変換とを順次に行い、
前記制御部は、
前記一方向に前記キャリッジが移動する間に、前記光源装置が前記基準部材に対して光を照射する場合にも、前記光源装置の主走査方向の点灯する領域を前記点灯領域と同じにするよう制御し、
前記検出部は、
前記画像処理部が原稿を画像として読取る処理を行う前に原稿のサイズを検出すること
を特徴とする画像読取装置。
【請求項２】
原稿が載置された前記原稿載置領域に照射された前記光源装置からの光の前記原稿からの反射光を前記撮像素子が光電変換した結果、又は前記基準部材に照射された前記光源装置からの光の前記基準部材が反射させる光を前記撮像素子が光電変換した結果のいずれかを、得られた順に保持する第１保持領域及び第２保持領域をさらに有し、
前記補正部は、
前記基準部材が反射させる光を前記撮像素子が光電変換した結果を前記第１保持領域が保持した場合に補正を行う第１補正処理部と、
前記基準部材が反射させる光を前記撮像素子が光電変換した結果を前記第２保持領域が保持した場合に補正を行う第２補正処理部と、
を有することを特徴とする請求項１に記載の画像読取装置。
【請求項３】
前記撮像素子が光電変換した結果を増幅する増幅器を有すること
を特徴とする請求項１または２に記載の画像読取装置。
【請求項４】
前記光源装置は、
前記画像処理部が原稿を画像として読取る処理を行う場合に比べて、前記検出部が原稿のサイズを検出するときに原稿載置領域に対して光を照射する場合、及び前記基準部材に光を照射する場合には、照射する光の光量が少ないこと
を特徴とする請求項１乃至３のいずれか１項に記載の画像読取装置。
【請求項５】
前記基準部材は、
濃度を均一に設定された白色板であること
を特徴とする請求項１乃至４のいずれか１項に記載の画像読取装置。
【請求項６】
前記検出部が原稿のサイズを検出する場合、前記撮像素子は、画像を読取る範囲が主走査方向の予め定められた領域にされていること
を特徴とする請求項１乃至５のいずれか１項に記載の画像読取装置。
【請求項７】
請求項１乃至６のいずれか１項に記載の画像読取装置と、
前記画像読取装置が読取った画像を記録媒体に形成する画像形成部と
を有することを特徴とする画像形成装置。
【請求項８】
原稿が載置された原稿載置領域に対して光源装置が被写体を照射した光の前記被写体からの反射光を撮像素子が画素毎に光電変換する工程と、
前記光源装置が照射して、基準となる光を反射させる基準部材が反射させた光を前記撮像素子が画素毎に光電変換する工程と、
前記基準部材が反射させた光を前記撮像素子が光電変換した値に基づいて、原稿が載置された原稿載置領域に対して前記光源装置が照射した光の反射光を前記撮像素子が画素毎に光電変換した値を補正する工程と、
補正した結果に基づいて、前記原稿載置領域に載置された原稿のサイズを検出する検出工程と、
前記原稿載置領域に載置された原稿に対して前記光源装置が照射した光の反射光を前記撮像素子が光電変換して前記補正する工程で補正した値に基づいて、原稿を画像として読取る処理を行う画像処理工程と、
前記検出工程が原稿のサイズを検出する際、前記光源装置が前記原稿載置領域に対して光を照射する場合に、前記光源装置の主走査方向の点灯領域を予め定められた領域にするよう制御する制御工程と、
を含み、
前記撮像素子は、
前記光源装置を前記原稿載置領域に沿って搬送するキャリッジが、予め定められた原稿読取開始位置に向けて一方向に移動する間に、原稿のサイズを検出するために、前記原稿載置領域に照射された前記光源装置からの光の前記原稿からの反射光の光電変換と、前記基準部材に照射された前記光源装置からの光の前記基準部材が反射させる光の光電変換とを順次に行い、
前記制御工程は、
前記一方向に前記キャリッジが移動する間に、前記光源装置が前記基準部材に対して光を照射する場合にも、前記光源装置の主走査方向の点灯する領域を前記点灯領域と同じにするよう制御し、
前記検出工程は、
前記画像処理工程が原稿を画像として読取る処理を行う前に原稿のサイズを検出する、
原稿サイズ検出方法。
【発明の詳細な説明】
【技術分野】
【０００１】
本発明は、画像読取装置、画像形成装置及び原稿サイズ検出方法に関する。
【背景技術】
【０００２】
従来、画像読取装置によって原稿を読取る前に、原稿台に載置された原稿の一部を簡易的に読取って原稿サイズを検出する技術が知られている。
【０００３】
例えば特許文献１には、原稿押さえの開閉検知により待機状態に復帰する場合には、原稿の画像を読取って原稿の大きさを検知し、当該検知後に白基準板の画像を読取って補正値を取得する画像読取装置が開示されている。
【０００４】
また、特許文献２には、原稿サイズ検出動作では、既に補正データ格納部に格納されている取得済補正データを用いてシェーディング補正を実行し、画像読取り動作では、新たに取得した新規補正データを用いてシェーディング補正を実行する画像読取装置が開示されている。
【発明の概要】
【発明が解決しようとする課題】
【０００５】
しかしながら、従来の原稿サイズ検出用の画像読取りでは、最新のシェーディングデータ取得ができておらず、最適なシェーディング補正処理が実施できない。よって、検出される原稿サイズの精度低下を招くという問題があった。
【０００６】
本発明は、上記に鑑みてなされたものであって、原稿サイズの検出精度を高めることができる画像読取装置、画像形成装置及び原稿サイズ検出方法を提供することを目的とする。
【課題を解決するための手段】
【０００７】
上述した課題を解決し、目的を達成するために、本発明は、光を照射する光源装置と、前記光源装置が被写体を照射した光の前記被写体からの反射光を画素毎に光電変換して画像を読取る撮像素子と、前記光源装置から光が照射された場合に、基準となる光を反射させる基準部材と、前記基準部材が反射させた光を前記撮像素子が光電変換した値に基づいて、原稿が載置された原稿載置領域に対して前記光源装置が照射した光の反射光を前記撮像素子が画素毎に光電変換した値を補正する補正部と、前記補正部が補正した結果に基づいて、前記原稿載置領域に載置された原稿のサイズを検出する検出部と、前記原稿載置領域に載置された原稿に対して前記光源装置が照射した光の反射光を前記撮像素子が光電変換して前記補正部で補正した値に基づいて、原稿を画像として読取る処理を行う画像処理部と、前記光源装置を前記原稿載置領域に沿って搬送するキャリッジと、前記検出部が原稿のサイズを検出する際、前記光源装置が前記原稿載置領域に対して光を照射する場合に、前記光源装置の主走査方向の点灯領域を予め定められた領域にするよう制御する制御部と、を有し、前記撮像素子は、予め定められた原稿読取開始位置に向けて一方向に前記キャリッジが移動する間に、原稿のサイズを検出するために、前記原稿載置領域に照射された前記光源装置からの光の前記原稿からの反射光の光電変換と、前記基準部材に照射された前記光源装置からの光の前記基準部材が反射させる光の光電変換とを順次に行い、前記制御部は、前記一方向に前記キャリッジが移動する間に、前記光源装置が前記基準部材に対して光を照射する場合にも、前記光源装置の主走査方向の点灯する領域を前記点灯領域と同じにするよう制御し、前記検出部は、前記画像処理部が原稿を画像として読取る処理を行う前に原稿のサイズを検出することを特徴とする。
【発明の効果】
【０００８】
本発明によれば、原稿サイズの検出精度を高めることができるという効果を奏する。
【図面の簡単な説明】
【０００９】
【図１】図１は、実施形態にかかる画像読取装置の構成を示す図である。
【図２】図２は、原稿サイズを検出する場合の画像読取装置の動作を示す図である。
【図３】図３は、画像読取装置を有する画像形成装置が原稿サイズを検出する場合に用いる機能を示したブロック図である。
【図４】図４は、画像読取装置が備える機能の動作タイミングを示す図である。
【図５】図５は、コンタクトガラスを上方から見た図である。
【図６】図６は、検出部が原稿サイズ検出スポットにより主走査方向の原稿の有無を判断する場合の画像データレベル例を示す図である。
【図７】図７は、コンタクトガラスを上方から見た図である。
【図８】図８は、画像読取装置が原稿載置領域を読取った画像データを示す図である。
【図９】図９は、画像読取装置がシェーディングデータを取得するパターンを示す図である。
【図１０】図１０は、画像読取装置が各パターンに対してシェーディング補正を行って得たデータを示す図である。
【図１１】図１１は、原稿読取時と原稿サイズ読取時における主走査方向の読み出しデータの範囲を示す図である。
【図１２】図１２は、実施形態にかかる画像読取装置を有する画像形成装置の構成を示す図である。
【発明を実施するための形態】
【００１０】
以下に添付図面を参照して、画像読取装置の実施形態を詳細に説明する。図１は、実施形態にかかる画像読取装置１０の構成を示す図である。画像読取装置１０は、デジタル複写機、デジタル複合機、ファクシミリ装置等の画像形成装置に搭載されるスキャナ装置である。また、画像読取装置１０は、単体のスキャナ装置であってもよい。そして、画像読取装置１０は、光源からの照射光によって被写体（読取対象）である原稿を照明し、その原稿からの反射光をＣＭＯＳイメージセンサで受光した信号に処理を行い、原稿の画像データを読取る。
【００１１】
具体的には、画像読取装置１０は、図１に示すように、原稿を載置するコンタクトガラス（原稿載置領域）１０１と、原稿露光用の光源部（光源装置）１０２及び第１反射ミラー１０３を具備する第１キャリッジ１０６と、第２反射ミラー１０４及び第３反射ミラー１０５を具備する第２キャリッジ１０７とを有する。また、画像読取装置１０は、撮像素子（例えばＣＭＯＳカラーイメージセンサ）４と、撮像素子４に結像するためのレンズユニット１０８と、読取り光学系等による各種の歪みを補正するためなどに用いる基準白板（基準部材）１１０と、シートスルー読取り用スリット１１１も備えている。撮像素子４は、例えば処理基板１０９に実装されている。
【００１２】
画像読取装置１０は、上部にＡＤＦ（Auto  Document  Feeder）１１２が搭載されており、このＡＤＦ１１２をコンタクトガラス１０１に対して開閉できるように、ヒンジを介した連結がなされている。
【００１３】
ＡＤＦ１１２は、複数枚の原稿からなる原稿束を載置可能な原稿載置台に載置された原稿束から原稿を１枚ずつ分離してシートスルー読取り用スリット１１１へ向けて自動給送する給送ローラ１１３を含む分離・給送手段も備えている。
【００１４】
そして、画像読取装置１０は、原稿の画像面をスキャン（走査）して原稿の画像を読取るスキャンモード時には、第１キャリッジ１０６及び第２キャリッジ１０７により、ステッピングモータによって矢示Ａ方向（副走査方向）に原稿を走査する。このとき、コンタクトガラス１０１から撮像素子４までの光路長を一定に維持するために、第２キャリッジ１０７は第１キャリッジ１０６の１／２の速度で移動する。
【００１５】
同時に、コンタクトガラス１０１上にセットされた原稿の下面である画像面が第１キャリッジ１０６の光源部１０２によって照明（露光）される。すると、その画像面からの反射光像が第１キャリッジ１０６の第１反射ミラー１０３、第２キャリッジ１０７の第２反射ミラー１０４及び第３反射ミラー１０５、並びにレンズユニット１０８経由で撮像素子４へ順次送られて結像される。
【００１６】
撮像素子４は、光源部１０２が照射した光の反射光を画素毎に光電変換して画像を読取る。そして、撮像素子４が光電変換した信号が出力され、出力された信号はデジタル信号に変換される。このように、原稿の画像が読取られ、デジタルの画像データが得られる。
【００１７】
一方、原稿を自動給送して原稿の画像を読取るシートスルーモード時には、第１キャリッジ１０６及び第２キャリッジ１０７が、シートスルー読取り用スリット１１１の下側へ移動する。その後、原稿載置台に載置された原稿が給送ローラ１１３によって矢示Ｂ方向（副走査方向）へ自動給送され、シートスルー読取り用スリット１１１の位置Ｃにおいて原稿が走査される。
【００１８】
このとき、自動給送される原稿の下面（画像面）が第１キャリッジ１０６の光源部１０２によって照明される。そのため、その画像面からの反射光像が第１キャリッジ１０６の第１反射ミラー１０３、第２キャリッジ１０７の第２反射ミラー１０４及び第３反射ミラー１０５、並びにレンズユニット１０８経由で撮像素子４へ順次送られて結像される。そして、撮像素子４の光電変換により信号が出力され、出力された信号はデジタル信号に変換される。このように、原稿の画像が読取られ、デジタルの画像データが得られる。画像の読取りが完了した原稿は、排出口に排出される。
【００１９】
基準白板（基準部材）１１０は、光源部１０２から光が照射された場合に、基準となる光を反射させる濃度を均一に設定された白色の板である。画像読取装置１０は、原稿を画像データとして読取る前に、原稿が載置されたコンタクトガラス（原稿載置領域）１０１を読取り、次に基準白板１１０を読取って、シェーディング補正を行い、シェーディング補正後のデータを用いて原稿サイズを検出する。よって、画像読取装置１０は、原稿サイズの検出精度の向上が可能となっている。
【００２０】
ここで、シェーディング補正とは、例えば基準データ（シェーディングデータ）の読取りレベルを所定の値に正規化する演算処理であるとする。シェーディング補正を画素単位で実施することにより、撮像素子４の感度のバラツキや光量の不均一性を除去することが可能となる。また、シェーディング補正は、例えば下式１によって表される。
【００２１】
【数１】
0006610017.tif 000002
【００２２】
次に、画像読取装置１０の動作について詳述する。図２は、原稿サイズを検出する場合の画像読取装置１０の動作（光学系の位置関係）を示す図である。ここで、図２（ａ）は、原稿が載置された原稿載置領域を読取る場合の光源部１０２等の位置を示している。図２（ｂ）は、画像読取装置１０が基準白板１１０を読取る場合の光源部１０２等の位置（シェーディングデータ取得位置）を示している。図２（ｃ）は、画像読取装置１０が原稿を画像データとして読取る場合の光源部１０２等の位置（原稿読取開始位置：ホームポジション）を示している。
【００２３】
画像読取装置１０は、原稿サイズを検出する場合、光源部１０２等が図２（ａ）に示した位置にある時、又はその位置からホームポジションへ移動する期間に、コンタクトガラス１０１に載置された原稿の一部を読取る。また、画像読取装置１０は、光源部１０２等が図２（ａ）に示した位置からホームポジションへ移動する期間に基準白板１１０も読取り、シェーディングデータを取得する。
【００２４】
よって、画像読取装置１０は、原稿のサイズ検出用の原稿（画像）読取りとほぼ同タイミングでシェーディングデータを取得できるため、精度のよいシェーディング補正が可能となり、検出される原稿サイズの精度も向上する。
【００２５】
一般に、画像読取装置は、発熱等により、光源部が照射する光の強度や主走査方向の平坦度が短時間であっても劣化したり、変動する可能性がある。画像読取装置１０は、発熱等が生じても、原稿のサイズ検出用の原稿（画像）データとシェーディングデータ（基準データ）を同条件で取得するので、原稿サイズを検出する精度が確保される。
【００２６】
また、画像読取装置１０は、図２（ａ）、図２（ｂ）、図２（ｃ）の順に示したように、光源部１０２等を移動させて原稿載置領域と基準白板１１０を読取るので、原稿サイズの検出が完了した時点で光源部１０２等がホームポジションに移動するので、原稿の読取り開始までの時間を大幅に短縮することが可能である。
【００２７】
図３は、画像読取装置１０を有する画像形成装置１が原稿サイズを検出する場合に用いる機能を示したブロック図である。処理基板１０９には、例えば撮像素子（センサ）４、増幅器４０及びＡ／Ｄ変換器４２が実装されている。撮像素子４が読取った画像データは、増幅器４０によって増幅され、Ａ／Ｄ変換器４２によってデジタルデータに変換されて出力される。
【００２８】
画像読取装置１０は、原稿を画像データとして読取る場合には、基準白板１１０を読取ってシェーディングデータを取得し、画素単位で保持する。次に、画像読取装置１０は、原稿を読取り、シェーディングデータを読み出して、随時画素毎にシェーディング補正を実施していく。これに対し、画像読取装置１０は、原稿サイズを検出する場合には、図２（ａ）〜（ｃ）に示したように、原稿載置領域の画像データを取得した後に、基準白板１１０を読取ってシェーディングデータを取得する。つまり、原稿を画像データとして読取る場合と、原稿サイズを検出する場合とでは、画像の読取り順序が逆である。
【００２９】
具体的には、画像読取装置１０は、原稿を画像データとして読取る場合（通常スキャン時）には、まず、基準白板１１０を読取り、シェーディングデータを記憶部５０の第１保持領域５１（保持領域Ａ）に格納する。次に、画像読取装置１０は、原稿領域を読取り、原稿の画像データを記憶部５０の第２保持領域５２（保持領域Ｂ）に格納する。そして、画像読取装置１０は、第１保持領域５１からシェーディングデータを読出し、第２保持領域５２から原稿の画像データを読み出して、第１補正処理部５３によってシェーディング補正を行う。
【００３０】
これに対し、画像読取装置１０は、原稿サイズを検出する場合（原稿サイズ検知時）には、まず、原稿が載置されたコンタクトガラス１０１（原稿載置領域）を読取り、原稿サイズ検出用の画像データを第１保持領域５１に格納する。次に、画像読取装置１０は、基準白板１１０を読取り、シェーディングデータを第２保持領域５２に格納する。そして、画像読取装置１０は、第１保持領域５１から原稿サイズ検出用の画像データを読み出し、第２保持領域５２からシェーディングデータを読み出して、第２補正処理部５４によってシェーディング補正を行う。
【００３１】
第２補正処理部５４は、基準白板１１０が反射させた光を撮像素子４が光電変換した値に基づいて、原稿が載置された原稿載置領域（コンタクトガラス１０１）に対して光源部１０２が照射した光の反射光を撮像素子４が画素毎に光電変換した値を補正する補正部としての機能を有する。その後、検出部５６は、画像処理部が原稿を画像として読取る処理を行う前に、シェーディング補正後の原稿サイズ検出用の画像データを用いて、コンタクトガラス１０１に載置された原稿サイズを検出する。また、検出部５６は、予め定められた色の重み付けを決定する濃度係数に基づいて原稿のサイズを検出するように構成されてもよい。
【００３２】
なお、記憶部５０は、第１保持領域５１と、第１保持領域５１よりも後段に位置する第２保持領域５２とを備えて、先に撮像素子４が読取ったデータが第１保持領域５１に格納されるように構成されている。
【００３３】
また、第１補正処理部５３は下式２によってシェーディング補正を行い、第２補正処理部５４は下式３によってシェーディング補正を行う。
【００３４】
【数２】
0006610017.tif 000003
【００３５】
【数３】
0006610017.tif 000004
【００３６】
このように、第１補正処理部５３及び第２補正処理部５４は、それぞれ補正計算式が異なる。また、第１補正処理部５３及び第２補正処理部５４は、ＣＰＵが実行するプログラムによって実現されてもよい。また、メモリ５５は、増幅器４０が可変増幅器である場合のゲインの設定値や、画像読取における濃度調整係数などを記憶していてもよい。ＣＰＵ６０（制御部）は、画像形成装置１を構成する各部を制御している。プリンタエンジン６２は、画像読取装置１０が読取った画像データを用いて画像を用紙などの記録媒体に形成する。
【００３７】
図４は、図３に示した画像読取装置１０が備える機能の動作タイミングを示す図である。図４において、ＷＴＧＴは、シェーディングデータ読取り時のタイミングを示すゲート信号である。ＤＯＣＧは、原稿読取り時のタイミングを示すゲート信号である。ＳＨＣＧＴは、シェーディング補正の実施タイミングを示している。
【００３８】
画像読取装置１０は、図４（ａ）に示す通常スキャン時には、シェーディングデータを取得（ＷＴＧＴ：ＯＮ）後に原稿画像を読取り（ＤＯＣＧＴ：ＯＮ）、さらに読取ったデータから順にシェーディング補正を実施（ＳＨＣＧＴ：ＯＮ）し、後段の画像処理ブロック（画像処理部）へ順次転送していく。画像処理部は、原稿載置領域に載置された原稿に対して光源部１０２が照射した光の反射光を撮像素子４が光電変換した値に基づいて、原稿を画像として読取る処理を行う。ＳＨＣＧＴのＯＮは、ＤＯＣＧＴのＯＮの後、又はデータの格納から読出しにかかる時間分等を遅延させて発生させる。
【００３９】
一方、画像読取装置１０は、原稿サイズ検知時には、ＤＯＧＴ→ＷＴＧＴ→ＳＨＣＧＴの順でＯＮしていく。ＳＨＣＧＴのＯＮは、通常スキャン時とは異なり、ＷＴＧＴのＯＦＦをトリガとして生成する。なお、シェーディングデータは、全データの基準となるため、複数ラインの読取り後、平均化処理によってノイズ除去が行われる。
【００４０】
そのため、図４（ｂ）に示した例では、原稿サイズ検知時の原稿読取り完了後にＳＨＣＧＴがＯＮにされている。また、原稿サイズの検出は、予め定められた領域に原稿があるか否かを判別できる程度のデータ量でよいため、ＤＯＣＧＴのアサート期間は、図４（ｂ）に示したように短くてよい。
【００４１】
以上説明したように、画像読取装置１０は、画像の読取り順が、基準データ→原稿データ、及び原稿データ→基準データのいずれの順であっても同等のシェーディング補正結果が得られ、従来よりも原稿サイズの検出精度が向上している。
【００４２】
また、画像読取装置１０は、原稿サイズの検出処理の実行が省エネモード→スタンバイモードへの復帰直後であった場合、各種調整をスキップして原稿サイズ検出に備えるように構成されてもよい。この場合、画像読取装置１０は、予め取得した調整値（ＲＧＢ別の画像信号増幅率、濃度係数など）をメモリ５５から読み出し、各ブロックへ反映させることで、短時間で省エネモード移行前の状態に戻ることができる。これにより、画像読取装置１０は、読取りデータの画質を向上させ、高精度なサイズ検出が可能になる。
【００４３】
ところで、画像読取装置１０が行う原稿サイズの検出は、ユーザーが予期していないタイミングでの読取り（光源点灯）となるため、通常の原稿スキャン時よりもまぶしく感じやすい。この対策として、不要領域の消灯や光量の低減などにより、まぶしさを低減する手法が有効である。
【００４４】
図５は、コンタクトガラス１０１を上方から見た図であり、コンタクトガラス１０１における原稿載置領域と、原稿サイズ検出スポットＳＰ１〜ＳＰ４の位置との関係を示している。図５においては、原稿載置基準に合わせて原稿が載置された場合に検出する各サイズの標準原稿の大きさと、スキャナ光源ブロック（個別にＯＮ／ＯＦＦ制御可能な光源部１０２の単位）の構成例が示されている。画像読取装置１０は、原稿サイズ検出スポットＳＰ１〜ＳＰ４それぞれの画像データの読取結果の組合せに応じて、検出部５６が原稿サイズを検出する。
【００４５】
図６は、検出部５６が原稿サイズ検出スポットＳＰ１〜ＳＰ３により主走査方向の原稿の有無を判断する場合の画像データレベル例を示す図である。画像読取装置１０は、主走査方向の原稿の幅検出を行う場合、”主走査幅検出領域”に相当する位置の主走査方向の画像データを取得し、３つの原稿サイズ検出スポットの平均データを用いて原稿の端部を検出する。各サイズの白紙をコンタクトガラス１０１に載置した場合、主走査位置と画像データレベル（シェーディング補正後）の組合せは、図６に示すようになる。画像読取装置１０は、原稿載置領域の画像データから原稿端部位置を検出することにより、主走査幅を判別する。なお、幅検出には、ＳＰ１〜ＳＰ３領域の平均データを用いることにより、より演算を簡素にすることも可能である。
【００４６】
また、画像読取装置１０は、副走査方向の原稿の幅検出を行う場合、ＳＰ４の位置に配置された光センサが読取った画像データレベルにより、原稿有無を検出する。そして、画像読取装置１０は、主走査幅検出結果と副走査幅検出結果を表１に示したように組み合わせることにより、載置原稿のサイズ及び向きを判定する。
【００４７】
【表１】
0006610017.tif 000005
【００４８】
つまり、図６に示すように、例えば主走査方向の原稿サイズ検出スポットＳＰ１〜ＳＰ３のいずれにおいても画像データレベルが原稿有無判定閾値を超えている場合、検出部５６は、原稿サイズがＡ４（ヨコ）又はＡ３であると判定する。原稿サイズがＡ４（ヨコ）又はＡ３のいずれであるかは、原稿サイズ検出スポットＳＰ４の画像データレベルによって判定される。
【００４９】
このように、標準原稿のサイズ検出に必要な画像データは、主走査方向の全域である必要はなく、特定領域のみでよい。同様に、光源部１０２も、画像データが必要な領域のみの点灯にされてもよい。よって、ユーザーへのまぶしさ低減、及び消費電力低減を図ることが可能である。
【００５０】
例えば、図５に示すように、光源部１０２のスキャナ光源ブロック８〜１１のみの点灯により、主走査方向の原稿サイズの検出に必要な領域への光の照射をすることができる。さらに、画像読取装置１０は、例えばブロック８のみ点灯→ブロック９のみ点灯→ブロック１０のみ点灯→ブロック１１のみ点灯のように光源部１０２の点灯を時間で分割し、瞬間的な発光量をさらに低減するように構成されてもよい。また、画像読取装置１０は、シェーディングデータ取得時にも同様に所定の領域のみ光源部１０２を点灯させてもよい。このように、光源部１０２は、画像処理部が原稿を画像として読取る処理を行う場合に比べて、検出部５６が原稿のサイズを検出するときに原稿載置領域に対して光を照射する場合、及び基準白板１１０に光を照射する場合には、照射する光の光量が少なくされてもよい。
【００５１】
また、図７に示したように、画像読取装置１０は、例えば原稿載置領域にＡ４サイズの白紙がタテ置きにされたとき、光源部１０２の点灯がブロック８〜１１とされて原稿サイズの検出を実施する。
【００５２】
画像読取装置１０が原稿載置領域を読取ると、図８に示したような画像データが得られる。次に、画像読取装置１０は、取得するシェーディングデータを例えば図９に示した以下の３パターンにする。
【００５３】
サイズ検出領域点灯：ブロック８〜１１点灯（原稿領域取得時と同領域を点灯）
Ａ５幅サイズ領域点灯：ブロック１〜６点灯
Ａ３幅サイズ領域点灯：ブロック１〜１２点灯（全点灯）
【００５４】
そして、画像読取装置１０は、各パターンに対してシェーディング補正を行い、図１０に示したデータを得る。なお、図１０において、“不定”はシェーディングデータレベルが０である領域であり、シェーディング補正によって不定（異常）なデータとなっていることを示している。
【００５５】
また、図１０に示したように、画像読取装置１０は、シェーディングデータの取得時においても同領域の点灯にすることで、「主走査幅検出領域」における原稿データ（Ａ４白紙）を忠実に再現できる。
【００５６】
図１１は、原稿読取時と、原稿サイズ読取時（原稿サイズ検出時）における主走査方向の読み出しデータの範囲を示す図である。図１１に示すように、画像読取装置１０は、原稿サイズ読取時には、原稿読取時に読み出すデータの中から、原稿サイズの検出に用いるデータのみを読出して、主走査方向の読出し周期（ＬＳＹＮＣ）を短縮させる。よって、画像読取装置１０は、原稿サイズの検出時には、主走査方向のデータの転送／処理データ量が減ることにより、処理動作の高速化が可能となっている。
【００５７】
このように、画像読取装置１０は、原稿が載置された原稿載置領域の画像を読取り、基準白板１１０を読取って、シェーディングデータを用いて原稿載置領域の画像を補正し、補正した結果に基づいて、原稿載置領域に載置された原稿のサイズを検出するので、精度よく原稿サイズを検出することができる。
【００５８】
図１２は、実施形態にかかる画像読取装置１０を有する画像形成装置１の構成を示す図である。図１２に示すように、画像形成装置１は、画像読取装置１０と、給紙部２と、画像形成部３とを備えている。
【００５９】
給紙部２は、用紙サイズの異なる記録紙（記録媒体）を収納する給紙カセット２１，２２と、給紙カセット２１，２２に収納された記録紙を画像形成部３の画像形成位置まで搬送する各種ローラからなる給紙手段２３とを有している。
【００６０】
画像形成部３は、露光装置３１と、感光体ドラム３２と、現像装置３３と、転写ベルト３４と、定着装置３５とを備えている。画像形成部３は、画像読取装置１０により読取られた原稿の画像データに基づいて、露光装置３１により感光体ドラム３２を露光して感光体ドラム３２に潜像を形成する。現像装置３３は、それぞれ感光体ドラム３２に異なる色のトナーを供給して現像する。そして、画像形成部３は、転写ベルト３４により感光体ドラム３２に現像された像を給紙部２から供給された記録紙に転写した後、定着装置３５により記録紙に転写されたトナー画像のトナーを溶融して、記録紙にカラー画像を定着するようになっている。
【符号の説明】
【００６１】
１      画像形成装置
２      給紙部
３      画像形成部
４      撮像素子
１０    画像読取装置
４０    増幅器
４２    Ａ／Ｄ変換器
５１    第１保持領域
５２    第２保持領域
５３    第１補正処理部
５４    第２補正処理部
５５    メモリ
５６    検出部
１０１  コンタクトガラス
１０２  光源部
１０３  第１反射ミラー
１０４  第２反射ミラー
１０５  第３反射ミラー
１０６  第１キャリッジ
１０７  第２キャリッジ
１１０  基準白板
【先行技術文献】
【特許文献】
【００６２】
【特許文献１】特開２０１４−０２２９９７号公報
【特許文献２】特開２０１３−０６５９７３号公報
【図１】
0006610017.tif 000006
【図２】
0006610017.tif 000007
【図３】
0006610017.tif 000008
【図４】
0006610017.tif 000009
【図５】
0006610017.tif 000010
【図６】
0006610017.tif 000011
【図７】
0006610017.tif 000012
【図８】
0006610017.tif 000013
【図９】
0006610017.tif 000014
【図１０】
0006610017.tif 000015
【図１１】
0006610017.tif 000016
【図１２】
0006610017.tif 000017